(57)【要約】【課題】平坦な釣場のほか磯等においても確実に自立ないし立て掛けることができるロッドケースの提供。【解決手段】このロッドケース１０は、ケース本体１１と台座１４とを備える。台座１４は、ケース本体１１の下端に設けられている。ケース本体１１は、第１外殻１８及び第２外殻１９を有し、両者は観音開き式に開閉する。台座１４は、一対の台座片３１、３２を有し、各台座片３１、３２が第１外殻１８及び第２外殻１９の下端部に固定されている。各台座片３１、３２は、ケース本体１１の開閉に伴って変位する。すなわち、ケース本体１１が閉じられると台座１４が形成され、ケース本体１１が開かれると台座１４が二分割される。【選択図】図２
0003183207.tif 000002
【実用新案登録請求の範囲】
【請求項１】
長手方向に沿う回動軸の周りに回動可能であって、互いに対向して内部に収容空間を区画する閉姿勢及び当該閉姿勢から上記回動軸を回動中心とする観音開き式に開かれた開姿勢の間で姿勢変化する一対の外殻を有するケース本体と、
当該各外殻の長手方向の端部に設けられ、上記一対の外殻が閉姿勢となったときに互いに対向して複数の脚を有する台座を形成すると共に上記一対の外殻が開姿勢となったときに上記台座を上記長手方向に二分割するように互いに離反する一対の台座片とを備えたロッドケース。
【請求項２】
上記各台座片はそれぞれ２つの脚を有し、
当該脚は、上記各台座片が対向したときに上記一対の外殻から外方に放射状に均等に配置されている請求強１に記載のロッドケース。
【請求項３】
上記各台座片は樹脂により成形されており、上記外殻が閉姿勢となった状態でモノコック構造の台座が形成される請求項１又は２に記載のロッドケース。
【請求項４】
上記各台座片の内壁面に、対応する上記外殻の外周面が安定的に当接する座部が形成されている請求項１から３のいずれかに記載のロッドケース。
【請求項５】
上記脚の表面に複数の細長凹条が形成されている請求項１から４のいずれかに記載のロッドケース。
【考案の詳細な説明】
【技術分野】
【０００１】
この考案は、釣竿を収容し保護するためのロッドケースの構造に関するものである。
【背景技術】
【０００２】
釣人が釣竿を釣場に安全に持ち込むために、釣竿を収納するロッドケースが従来から提供されている。特に磯釣りに際しては、釣竿が磯に接触した場合に損傷を受けやすいことから、ロッドケースに関して従来から釣竿を収納しやすく且つ確実に保護するための種々の改良が提案されている（たとえば特許文献１〜３参照）。
【０００３】
特許文献１が開示する釣竿ケースは、緩衝材が用いられて釣竿ケースの耐衝撃性が高められている。また、特許文献２が開示するロッドケースは、芯材が採用されてロッドケースの保形性が高められている。さらに、特許文献３が開示する竿ケースは、収容された釣竿を簡単に固定することができるようになっている。
【先行技術文献】
【特許文献】
【０００４】
【特許文献１】特開２００４−３３７０１６号公報
【特許文献２】特開２００６−２０４１５５号公報
【特許文献３】特開２００８−１１７３８号公報
【考案の概要】
【考案が解決しようとする課題】
【０００５】
前述のように、ロッドケースは従来から様々な改良が加えられているが、特に荷物を載置するスペースが狭い磯にロッドケースが持ち込まれる場合に、釣人にとってロッドケースを磯に簡単に且つ確実に立て掛けることができれば非常に便利である。
【０００６】
本考案はかかる背景のもとになされたものであって、その目的は、平坦な釣場で安定的に自立することができ、また磯等においても確実に自立ないし立て掛けることが可能なロッドケースを提供することである。
【課題を解決するための手段】
【０００７】
(1) 本考案に係るロッドケースは、長手方向に沿う回動軸の周りに回動可能であって、互いに対向して内部に収容空間を区画する閉姿勢及び当該閉姿勢から上記回動軸を回動中心とする観音開き式に開かれた開姿勢の間で姿勢変化する一対の外殻を有するケース本体と、当該各外殻の長手方向の端部に設けられ、上記一対の外殻が閉姿勢となったときに互いに対向して複数の脚を有する台座を形成すると共に上記一対の外殻が開姿勢となったときに上記台座を上記長手方向に二分割するように互いに離反する一対の台座片とを備えている。
【０００８】
この構成によれば、ケース本体は一対の外殻から構成される。当該一対の外殻が閉姿勢となることにより内部に区画された収容空間に釣竿が収納され、上記閉姿勢から開姿勢に変化することにより、釣人はケース本体から釣竿を取り出すことができる。このケース本体に台座が設けられる。この台座は、上記一対の外殻のそれぞれに設けられた一対の台座片から構成される。上記一対の外殻が閉姿勢となることによって、上記一対の台座片が対向して台座が形成される。この台座は複数の脚を有するから、釣場においてケース本体を安定的に自立させ、あるいは磯等に立て掛けることができる。しかも、上記一対の外殻が開姿勢となったときは、当該外殻と共に上記台座片が離反し、上記台座が二分割される。つまり、上記台座が設けられていても、ケース本体の開閉が妨げられることはない。
【０００９】
(2) 上記各台座片はそれぞれ２つの脚を有し、当該脚は、上記各台座片が対向したときに上記一対の外殻から外方に放射状に均等に配置されているのが好ましい。
【００１０】
この構成では、ケース本体はより安定的に自立することができる。
【００１１】
(3) 上記各台座片は樹脂により成形されており、上記外殻が閉姿勢となった状態でモノコック構造の台座が形成されるのが好ましい。
【００１２】
この構成では、台座片の剛性が高く、ケース本体がより一層安定的に自立することができる。
【００１３】
(4) 上記各台座片の内壁面に、対応する上記外殻の外周面が安定的に当接する座部が形成されているのが好ましい。
【００１４】
この構成では、各台座片がそれぞれ対応する外殻と面接触し、確実に取り付けられる。これにより、ケース本体及び台座の剛性が一層向上する。
【００１５】
(5) 上記脚の表面に複数の細長凹条が形成されているのが好ましい。
【００１６】
この構成では、細長凹条が脚の滑り止め効果を発揮する。したがって、ケース本体が安定して磯に立て掛けられる。
【考案の効果】
【００１７】
この考案によれば、ロッドケースは、平坦な釣場で安定的に自立することができるし、磯等においても安定して自立ないし立て掛けられる。
【図面の簡単な説明】
【００１８】
【図１】図１は、本考案の一実施形態に係るロッドケース１０の正面図である。
【図２】図２は、ロッドケース１０の左側面図である。
【図３】図３は、ロッドケース１０の背面図である。
【図４】図４は、ロッドケース１０を構成する第１外殻１８の外形を示す図である。
【図５】図５は、ロッドケース１０を構成する第１外殻１８の外形を示す図である。
【図６】図６は、図４におけるVI−VI断面図である。
【図７】図７は、図４におけるVII−VII断面図である。
【図８】図８は、ロッドケース１０を構成する第２外殻１９の外形を示す図である。
【図９】図９は、ロッドケース１０を構成する第２外殻１９の外形を示す図である。
【図１０】図１０は、図８におけるＸ−Ｘ断面図である。
【図１１】図１１は、図８におけるXI−XI断面図である。
【図１２】図１２は、ロッドケース１０の台座１４を構成する台座片３１の外観斜視図である。
【図１３】図１３は、台座片３１の外観斜視図である。
【図１４】図１４は、台座片３１の外観斜視図である。
【図１５】図１５は、台座片３１の正面図である。
【図１６】図１６は、台座片３１の平面図である。
【図１７】図１７は、台座片３１の底面図である。
【図１８】図１８は、台座片３１の右側面図である。
【図１９】図１９は、台座片３１の背面図である。
【図２０】図２０は、図１５におけるXX−XX断面図である。
【図２１】図２１は、図１６におけるXXI−XXI断面図である。
【考案を実施するための形態】
【００１９】
以下、本考案の好ましい実施形態が、適宜図面が参照されながら説明される。
【００２０】
図１は、本考案の一実施形態に係るロッドケース１０の正面図である。また、図２及び図３は、ロッドケース１０の左側面図及び背面図である。
【００２１】
このロッドケース１０は、たとえば磯釣りの際に使用され、釣竿を収容して釣場（磯）に持ち込まれる。ロッドケース１０は、細長形状に形成されたケース本体１１と、ケース本体１１に設けられた肩掛けベルト１２及び手提げベルト１３と、台座１４とを備えている。なお、図２では、肩掛けベルト１２及び手提げベルト１３の図示が省略されている。
【００２２】
このロッドケース１０の特徴とするところは、ケース本体１１の下端に台座１４が設けられている点である。この台座１４が設けられることにより、ロッドケース１０は、平坦な釣場で安定的に自立することができるし、磯等においても安定して自立ないし立て掛けられるようになっている。
【００２３】
ケース本体１１は、前述のように全体として細長の殻状に形成されており、基部１５、中央部１６及び先端部１７を有する。ケース本体１１の内部に、釣竿を収容する収容空間が形成されている。ケース本体１１は、第１外殻１８及び第２外殻１９を有し、これらが左側面２０の中央線２１（実用新案登録請求の範囲に記載された「長手方向に沿う回動軸」に相当）を回動中心として開閉することができるようになっている。第１外殻１８及び第２外殻１９を相対的に開閉させる機構は、一般にヒンジ機構が採用される。このヒンジ機構は、典型的には蝶番であるが、特に限定されない。なお、ケース本体１１の右側面に、具体的には、上記左側面２０に連続する上面及び右側面にスライドファスナーが設けられている。このスライドファスナーは図示されていないが、釣人が当該ファスナーを開くことによって第１外殻１８と第２外殻１９が互いに開くことができ、また、第１外殻１８と第２外殻１９が閉じられた状態で上記ファスナーが閉じられることにより、第１外殻１８及び第２外殻１９は当該閉じた状態が維持される。
【００２４】
すなわち、第１外殻１８及び第２外殻１９は、図１ないし図３が示すように、互いに対向した姿勢（実用新登録請求の範囲に記載された「閉姿勢」に相当）となることによって内部に上記収容空間が区画される。また、第１外殻１８及び第２外殻１９が上記中央線２１を中心に観音開き式に開かれた姿勢（実用新案登録請求の範囲に記載された「開姿勢」に相当）に変化することによって上記収容空間が開放される。この収容空間が開放されることによって、釣人は、ロッドケース１０から釣竿を自由に出し入れすることができる。
【００２５】
図４及び図５は、第１外殻１８の外形を示す図である。図４（ａ）は第１外殻１８の正面図、同図（ｂ）は左側面図、（ｃ）は右側面図である。図５（ａ）は第１外殻１８の平面図、同図（ｂ）は底面図である。
【００２６】
第１外殻１８は、ケース本体１１の正面部分（図１及び図２参照）を構成する。すなわち、第１外殻１８が上記基部１５、中央部１６及び先端部１７の一部を形成している。第１外殻１８は、樹脂により一体的に形成されている。この樹脂は、典型的には、アクリロニトリルブタジエンスチレン共重合体（ＡＢＳ樹脂）が採用される。第１外殻１８の肉厚は、１ｍｍ〜１０ｍｍに設定されており、第１外殻１８は、十分な機械的強度、剛性及び耐衝撃性を備えている。
【００２７】
第１外殻１８の中央部２５は、ケース本体１６の中央部１６の一部を構成し、外側に膨出している。したがって、ケース本体１１の内部に区画される収容空間が広くなっている。この中央部２５が膨出されることにより、たとえばリールが装着された状態で釣竿が収納され得る。また、第１外殻１８の表面に複数の突条２２が形成されている。これらの突条２２は、第１外殻１８の表面が隆起することにより形成されている。突条２２が形成されることにより、第１外殻１８の剛性がさらに向上している。
【００２８】
図６は図４におけるVI−VI断面図であり、図７は図４におけるVII−VII断面図である。
【００２９】
これらの図が示すように、第１外殻１８の内部に空間２３が形成されている。図７が示すように、第１外殻１８の先端部２６の空間２３よりも中央部２５の空間２３の方が広大となっている。なお、第１外殻１８の先端部２６は、ケース本体１１の先端部１７の一部を構成しており、第１外殻１８の基部２７は、ケース本体１１の基部１５の一部を構成している。
【００３０】
図８及び図９は、第２外殻１９の外形を示す図である。図８（ａ）は第２外殻１９の正面図、同図（ｂ）は左側面図、（ｃ）は右側面図である。図９（ａ）は第２外殻１９の平面図、同図（ｂ）は底面図である。
【００３１】
第２外殻１９は、ケース本体１１の背面部分（図１及び図２参照）を構成する。すなわち、第２外殻１９が上記ケース本体１１の基部１５、中央部１６及び先端部１７の一部を形成しており、第１外殻１８と協働してケース本体１１を構成する。第２外殻１９は、第１外殻１８と同様に樹脂により一体的に形成されている。この樹脂も典型的には、アクリロニトリルブタジエンスチレン共重合体（ＡＢＳ樹脂）が採用される。第２外殻１９の肉厚は、１ｍｍ〜１０ｍｍに設定されており、第１外殻１８と同様に十分な機械的強度、剛性及び耐衝撃性を備えている。
【００３２】
第２外殻１９の中央部２８は、先端部２９及び基部３０と略フラットに形成されている。なお、第２外殻１９の中央部２８、先端部２９及び基部３０は、それぞれ、ケース本体１１の中央部１６、先端部１７及び基部１５の一部を構成する。もっとも、第２外殻１９の中央部２８も第１外殻１８と同様に膨出されていてもよい。また、第１外殻１８の表面と同様に、第２外殻１９の表面にも複数の突条２２が形成されている。これらの突条２２は、第２外殻１９の表面が隆起することにより形成されている。突条２２が形成されることにより、第２外殻１９の剛性がさらに向上している。
【００３３】
図１０は図８におけるＸ−Ｘ断面図であり、図１１は図８におけるXI−XI断面図である。
【００３４】
これらの図が示すように、第２外殻１９の内部に空間２４が形成されている。図１１が示すように、先端部１７の空間２４よりも中央部１６の空間２４の方が広大となっている。そして、第１外殻１８と第２外殻１９とが閉じられることにより（図１参照）、上記空間２３と空間２４とによって上記ケース本体１１に収容空間が区画される。
【００３５】
なお、第１外殻１８及び第２外殻１９の内周面に緩衝材や内布等が設けられていてもよい。この内布は、たとえばポリエステルやナイロン等から構成され得る。内布は、第１外殻１８及び第２外殻１９の内壁面全体を覆うように縫いつけられるのが好ましい。そして、この内布にポケット等が設けられることにより、他の道具（小物）が収容され得る。
【００３６】
肩掛けベルト１２及び手提げベルト１３は、ケース本体１１の左側面２０に取り付けられている。肩掛けベルト１２は既知の構成であって、たとえば、ポリエステル、ナイロン、ポリプロピレン等からなる。手提げベルト１３も既知の構造であり、ポリエステル、ナイロン、ポリプロピレン等からなり、グリップを備えている。このグリップは、たとえば、ポリ塩化ビニル、ポリウレタン等から構成され得る。
【００３７】
図１ないし図３が示すように、ケース本体１１の基部１５の下端部（実用新案登録請求の範囲に記載された「長手方向の端部」に相当）に台座１４が設けられている。この台座１４は、一対の台座片３１、３２を備えている。台座片３２は、台座片３１と同様の構造であり、台座片３２と対向して配置されている。各台座片３１、３２は、それぞれ、第１外殻１８の下端部すなわち基部２７の端部及び第２外殻１９の基部３０の端部に固定されている。
【００３８】
図１２ないし図１４は、上記台座１４を構成する台座片３１の外観斜視図である。図１５ないし図１９は、それぞれ、台座片３１の正面図、平面図、底面図、右側面図及び背面図である。
【００３９】
台座片３１は、上面３７及び背面３３が開放された器状のボディ３４と、ボディ３４の両側面に配置された一対の脚３５、３６とを有する。これら脚３５、３６は、有底の筒状に形成されている。ボディ３４及び脚３５、３６は、樹脂により一体的に成形されている。樹脂は、典型的には、ポリエチレン（ＰＥ）やポリプロピレン（ＰＰ）が採用される。台座片３１の肉厚は、１ｍｍ〜２０ｍｍに設定されており、十分な機械的強度、剛性及び耐衝撃性を備えている。
【００４０】
ボディ３４の角部に脚３５、３６が一体的に設けられており、各脚３５、３６は、下方に延びると共に外方に向かって放射状に突出している（図１２、図１６、図１７参照）。図１３、図１６，図１９が示すように、ボディ３４の内部に空洞３８が形成されており、ボディ３４に一体的に設けられた脚３５、３６の内部にも、上記空洞３８に連続する空洞３９、４０が形成されている。すなわち、台座片３１は殻構造を有する。上記空洞３９〜４０が連続することによって、台座片３１の内壁面は、所定の凹凸形状を呈し、座部４１を形成している。
【００４１】
図２０は、図１５におけるXX−XX断面図である。また、図２１は、図１６におけるXXI−XXI断面図である。
【００４２】
上記座部４１の凹凸形状は、上記第１外殻１８の基部２７の外形形状（図４参照）に対応されている。したがって、この台座片３１を上記基部２７に下方から嵌め込むことにより、上記第１外殻１８の外周面が上記台座片３１の座部４１に合致し、両者が安定的に当接する。これにより、図１及び図２が示すように、台座片３１は、ケース本体１１の第１外殻１８の下端に強固に取り付けられる。なお、台座片３１と第１外殻１８との取付構造は、接着剤やボルト等の締結部材が採用される。なお、図１６、図１７、図２１が示すように、脚３５、３６に水抜孔４３が設けられている。さらに、脚３５、３６の下面４２にローレットが形成されている。このローレットは、上記下面４２に複数の細長の凹条４４が形成されることにより構成されている。
【００４３】
前述のように、台座片３２（図１〜図３参照）は台座片３１と同様の構成である。台座片３２は、第２外殻１９の基部３０（図８参照）に下方から嵌め込まれる。第２外殻１９の外周面は、台座片３２の座部４１に合致しており、両者が安定的に当接する。これにより、図２及び図３が示すように、台座片３２は、ケース本体１１の第２外殻１９の下端に強固に取り付けられる。なお、台座片３２と第２外殻１９との取付構造も、接着剤やボルト等の締結部材が採用される。
【００４４】
台座片３１、３２が図１ないし図３が示すようにケース本体１１に固定された場合、ケース本体１１が前述のように開閉すると、台座片３１、３２は、次のように変位する。すなわち、ケース本体１１が閉姿勢となれば、台座片３１、３２は、互いに対向して上記台座１４を構成し、他方、ケース本体１１が開姿勢となれば、台座片３１、３２は、台座１４が上記中心線２１（図２参照）に沿う方向に二分割されるように互いに離反する。
【００４５】
さらに、台座片３１、３２に前述のような脚３５、３６が設けられているから、台座片３１、３２が対向して台座１４が形成された状態では、４本の脚３５、３６が第１外殻１８及び第２外殻１９から外方に放射状に均等に配置されることになる。また、台座片３１、３２は前述のような殻構造を有するから、両者が対向して台座１４が形成された場合、当該台座１４は、モノコック構造を形成することになる。
【００４６】
本実施形態に係るロッドケース１０では、ケース本体１１に台座１４が設けられ、この台座１４に４本の脚３５、３６が形成されているから、釣人は、釣場においてケース本体１１を安定的に自立させ、あるいは磯等にも立て掛けることができる。しかも、ケース本体１１が開姿勢となったときは、台座１４を構成する台座片３１、３２が離反し、台座１４が二分割される。つまり、上記台座１４がケース本体１１に設けられていても、ケース本体１１の開閉が妨げられることはないという利点がある。
【００４７】
前述のようにケース本体１１の上面及び右側面にケース本体１１を開閉するためのスライドファスナーが設けられているが、上記台座１４が設けられることにより、ロッドケース１０が磯に立て掛けられたり、直接に地面に立てられる場合に、上記スライドファスナーが磯等に接触しにくくなる。したがって、このスライドファスナーの損傷が防止されるという利点もある。
【００４８】
本実施形態では、各台座片３１、３２にそれぞれ２つの脚３５、３６が設けられているが、脚３５、３６の数が特に限定されるものではない。要するに、脚３５、３６は、各台座片３１、３２が対向した状態で、ケース本体１１から外方に放射状に均等に配置されていればよい。本実施形態では、各台座片３１、３２にそれぞれ２つの脚３５、３６が設けられているので、ケース本体１１はより安定的に自立することができる。
【００４９】
また、本実施形態では、台座１４はモノコック構造を有するから、台座１４の剛性が高く、ケース本体１１がより一層安定的に自立することができる。
【００５０】
さらに、各台座片３１、３２の内壁面によって座部４１が形成され、当該座部４１は、各台座片３１、３２が嵌め合わされる第１外殻１８及び第２外殻１９の外周面（具体的には基部２７、３０の外周面）に対応する形状となっている。これにより、各台座片３１、３２が第１外殻１８及び第２外殻１９と面接触し、確実に取り付けられる。その結果、ケース本体１１及び台座１４の剛性が一層向上するという利点がある。
【００５１】
加えて、台座１４を構成する台座片３１、３２の下面４２に凹条４４が形成されているから、台座１４が滑り止め効果を発揮する。したがって、ロッドケース１０は、より一層安定して磯に立て掛けられる。
【符号の説明】
【００５２】
１０・・・ロッドケース
１１・・・ケース本体
１４・・・台座
１５・・・基部
１６・・・中央部
１７・・・先端部
１８・・・第１外殻
１９・・・第２外殻
２０・・・左側面
２１・・・中心線
２２・・・突条
２３・・・空間
２４・・・空間
２５・・・中央部
２６・・・先端部
２７・・・基部
２８・・・中央部
２９・・・先端部
３０・・・基部
３１・・・台座片
３２・・・台座片
３３・・・背面
３４・・・ボディ
３５・・・脚
３６・・・脚
３７・・・上面
３８・・・空洞
３９・・・空洞
４０・・・空洞
４１・・・座部
４２・・・下縁
４３・・・水抜孔
４４・・・凹条
【図１】
0003183207.tif 000003
【図２】
0003183207.tif 000004
【図３】
0003183207.tif 000005
【図４】
0003183207.tif 000006
【図５】
0003183207.tif 000007
【図６】
0003183207.tif 000008
【図７】
0003183207.tif 000009
【図８】
0003183207.tif 000010
【図９】
0003183207.tif 000011
【図１０】
0003183207.tif 000012
【図１１】
0003183207.tif 000013
【図１２】
0003183207.tif 000014
【図１３】
0003183207.tif 000015
【図１４】
0003183207.tif 000016
【図１５】
0003183207.tif 000017
【図１６】
0003183207.tif 000018
【図１７】
0003183207.tif 000019
【図１８】
0003183207.tif 000020
【図１９】
0003183207.tif 000021
【図２０】
0003183207.tif 000022
【図２１】
0003183207.tif 000023